(57)【特許請求の範囲】
【請求項１】
手工具を固定し、位置決め可能な手工具ホルダであって、
細長く形成され、Ｕ字形の断面を有するレールフレームと、２枚のプレートを有し、該２枚のプレートの間に摺動溝が形成されるレール部材と、
貫通穴が開口されると共に摺動可能に２つのプレートの上面に取り付けられる薄い板である摺動台と、摺動台より上方に突設される保持部と、摺動可能にレールフレームに嵌め込まれ、かつプレートの底面に圧接可能でネジ穴が設けられる固定ブロックと、摺動台の貫通穴を貫通して固定ブロックのネジ穴に螺合される固定ボルトとを備え、摺動可能に前記レール部材に取り付けられる少なくとも１対のＬ字形の固定部材と、を有し、
前記一対の固定部材が互いに隣り合って手工具を挟持固定することを特徴とする、
位置決め可能な手工具ホルダ。
【請求項２】
前記レール部材は、さらに２つの外側部材を含み、前記２つの外側部材はそれぞれ、前記２つのプレートと連結するように前記レールフレームの両側に設けられ、該各外側部材の上縁部に摺動凸縁が他方の外側部材に対向するように延設され、該各摺動凸縁とプレートとの間に摺動凹部が形成され、前記固定部材の摺動台の両側にそれぞれ突部が延設され、前記突部が摺動可能に前記摺動凹部に嵌め込まれることを特徴とする請求項１に記載の位置決め可能な手工具ホルダ。
【請求項３】
前記レール部材の前記レールフレームの底面に少なくとも１つの磁石が取り付けられることを特徴とする請求項１または２に記載の位置決め可能な手工具ホルダ。
【請求項４】
前記固定部材の前記保持部が湾曲して上方に延出し、保持凹部が形成されると共に、その上縁部に傾斜状の保持凸部が延設されることを特徴とする請求項１乃至３の何れか１項に記載の位置決め可能な手工具ホルダ。
【請求項５】
前記固定部材の前記保持部が、まっすぐ上方に延出し、その上縁部に傾斜状の保持凸縁が延設されることを特徴とする請求項１乃至３の何れか１項に記載の位置決め可能な手工具ホルダ。
【請求項６】
前記固定部材の前記保持部がまっすぐ上方に延出していることを特徴とする請求項１乃至３の何れか１項に記載の位置決め可能な手工具ホルダ。
【発明の詳細な説明】
【技術分野】
【０００１】
本発明は、特に手工具の挟持効果が優れる位置決め可能な手工具ホルダに関するものである。
【背景技術】
【０００２】
従来の手工具ホルダは、レール部材及び複数の固定部材を備え、その固定部材が摺動可能にレール部材に取り付けられることによって、所望の位置に摺動し、レンチや、ドライバーなどの手工具を挟持して位置決めることができる。
【先行技術文献】
【特許文献】
【０００３】
【特許文献１】台湾特許公告第Ｉ４６００６０号
【特許文献２】ＵＳ  ９，１２６，３２９
【発明の概要】
【発明が解決しようとする課題】
【０００４】
従来の手工具ホルダは、固定部材とレール部材との間に位置決め構造を有し、その位置決め構造により固定部材をレール部材に対して所望の位置に位置決めることができるが、その位置決め効果が悪く、外部からの衝撃を受けた場合に、固定部材がずれてしまうことが多く、手工具の挟持効果を失わせ、手工具が固定部材から脱落する問題があった。
【０００５】
また、従来の手工具ホルダは、手工具を確固に位置決めすることができないため、手工具ホルダを搬送した場合に、それぞれの固定部材が所定の位置から離れるため、離れた固定部材のそれぞれを調整して復位させることが必要となり、使用上、非常に不便であった。
【課題を解決するための手段】
【０００６】
本発明は前記の課題を鑑みてなされたものであり、工具の挟持効果が優れる位置決め可能な手工具ホルダを提供する。
本発明の位置決め可能な手工具ホルダは、細長く形成され、Ｕ字形の断面を有するレールフレームと、２枚のプレートを有し、該２枚のプレートの間に摺動溝が形成されるレール部材と、貫通穴が開口されると共に摺動可能に２つのプレートの上面に取り付けられる薄い板である摺動台と、摺動台より上方に突設される保持部と、摺動可能にレールフレームに嵌め込まれ、かつプレートの底面に圧接可能でネジ穴が設けられる固定ブロックと、摺動台の貫通穴を貫通して固定ブロックのネジ穴に螺合される固定ボルトとを備え、摺動可能に前記レール部材に取り付けられる少なくとも１対のＬ字形の固定部材と、を有し、一対の固定部材が互いに隣り合って手工具を挟持固定するものである。
【０００７】
かかる位置決め可能な手工具ホルダにおいて、前記レール部材は、さらに２つの外側部材を含み、前記２つの外側部材はそれぞれ、前記２つのプレートと連結するように前記レールフレームの両側に設けられ、該各外側部材の上縁部に摺動凸縁が他方の外側部材に対向するように延設され、該各摺動凸縁とプレートとの間に摺動凹部が形成され、前記固定部材の摺動台の両側にそれぞれ突部が延設され、前記突部が摺動可能に前記摺動凹部に嵌め込まれることが好ましい。
【０００８】
かかる位置決め可能な手工具ホルダにおいて、前記レール部材の前記レールフレームの底面に少なくとも１つの磁石が取り付けられることが好ましい。
【０００９】
かかる位置決め可能な手工具ホルダにおいて、前記固定部材の前記保持部が湾曲して上方に延出し、保持凹部が形成されると共に、その上縁部に傾斜状の保持凸部が延設されることが好ましい。
【００１０】
かかる位置決め可能な手工具ホルダにおいて、前記固定部材の前記保持部が、まっすぐ上方に延出し、その上縁部に傾斜状の保持凸縁が延設されることが好ましい。
【００１１】
かかる位置決め可能な手工具ホルダにおいて、前記固定部材の前記保持部がまっすぐ上方に延出していることが好ましい。
【発明の効果】
【００１２】
本発明の位置決め可能な手工具ホルダは、固定部材３０をレール部材１０に対して所望の位置に位置決めできるため、外部からの衝撃を受けてもずれることはなく、手工具を所望の位置に確固に位置決めすると共に、手工具が位置決め可能な手工具ホルダから脱落することなく、その安全性及び実用性を向上させることが可能となる。
【図面の簡単な説明】
【００１３】
【図１】本発明に係る位置決め可能な手工具ホルダの第一実施例の部分斜視図である。
【図２】本発明に係る位置決め可能な手工具ホルダの第一実施例の部分分解斜視図である。
【図３】本発明に係る位置決め可能な手工具ホルダの第一実施例の側面視部分断面図である。
【図４】本発明に係る位置決め可能な手工具ホルダの第一実施例の端面視断面図である。
【図５】本発明に係る位置決め可能な手工具ホルダの第二実施例の側面視部分断面図である。
【図６】本発明に係る位置決め可能な手工具ホルダの第三実施例の側面視部分断面図である。
【図７】本発明に係る位置決め可能な手工具ホルダにおいて、手工具が収納された状態を示す斜視図である。
【発明を実施するための形態】
【００１４】
図１乃至図４に示すように、本発明に係る位置決め可能な手工具ホルダは、レール部材１０及び少なくとも１つの固定部材３０を有する。
該レール部材１０は、細長状を呈し、レールフレーム１２と、２枚のプレート１４と、２つの外側部材２０と、少なくとも１つの磁石２６を備える。そのうち、該レールフレーム１２は、細長く形成され、Ｕ字形の断面を備え、該２つのプレート１４は、レールフレーム１２の両側上縁部に設けられ、その間に摺動溝１６が形成される。
該２つの外側部材２０はそれぞれ、２つのプレート１４と連結するように、レールフレーム１２の両側に設けられ、該各外側部材２０の上縁部に摺動凸縁２２が他方の外側部材２０に対向するように延設され、該各摺動凸縁２２とプレート１４との間に摺動凹部２４が形成され、該少なくとも１つの磁石２６は、レールフレーム１２の底面に取り付けられる。また、その磁石２６がボルト及びナットによってレールフレーム１２に螺設されることが好ましい。
【００１５】
前記少なくとも１つの固定部材３０は、摺動可能にレール部材１０に取り付けられ、貫通穴３２２が形成されると共に、両側にそれぞれ突部３２４が延設され、該突部３２４が摺動可能に摺動凹部２４に嵌め込まれて摺動可能に２つのプレート１４の上面に取り付けられる摺動台３２と、摺動台３２より上方へ延設される保持部３４と、固定ブロック３６と、固定ボルト３８とを備えている。
本発明の第一実施例において、その保持部３４は、湾曲して上方に延出し、その内面に保持凹部３４２が形成されると共に、その上縁部に傾斜状の保持凸部３４４が延設されることが好ましい。
【００１６】
前記固定ブロック３６は、ネジ穴３６２が形成され、摺動可能にレールフレーム１２に嵌め込まれてプレート１４の底面に圧接し、前記固定ボルト３８は、摺動台３２の貫通穴３２２を貫通して固定ブロック３６のネジ穴３６２に螺合される。
【００１７】
図５に示すように、本発明の位置決め可能な手工具ホルダの第二実施例は、殆ど第一実施例と同一であるが、各固定部材３０Ａの保持プレート３４Ａがまっすぐ上方に延出され、その上縁部に傾斜状の保持凸縁３４４Ａが延設されている点において異なる。
【００１８】
また、図６に示すように、本発明の位置決め可能な手工具ホルダの第三実施例は、殆ど第一実施例と同一であるが、各固定部材３０Ｂの保持プレート３４Ｂがまっすぐ上方に延出されている点において異なる。
【００１９】
また、図２、図４、図７に示すように、本発明の位置決め可能な手工具ホルダを使用するに際し、まず固定ボルト３８を緩めて固定ブロック３６を摺動凹部２４の底面から離間させると、摺動台３２が摺動溝１６に沿ってレールフレーム１２に対して所望の位置に摺動することが可能となり、ペンチ７０、オープンエンドレンチ７１、ラチェットレンチ７３、調整レンチ７２、ドライバー７５、ソケットレンチ７４などの手工具を隣り合う２つの固定部材３０、３０Ａ、３０Ｂの保持部３４、３４Ａ、３４Ｂの間に挟持したり掛止したりすることができる。
さらに、固定ボルト３８を締め付けて固定部材３０の摺動台３２及び固定ブロック３６がそれぞれプレート１４の上面及び底面にしっかりと押し付けられると、固定部材３０がずれることなく、安定してレール部材１０に位置決められる。
【００２０】
本発明の位置決め可能な手工具ホルダは、外部からの衝撃を受けても固定部材３０がレール部材１０に対してずれることがないため、手工具を所望の位置に確固に位置決めることができる。さらに、磁石２６を有するため、固定部材３０に磁性を与えて手工具を挟持しながら吸着できることから、位置決め可能な手工具ホルダから脱落することはなく、位置決め効果を向上できる。
また、本発明の位置決め可能な手工具ホルダは、水平状態または垂直状態でツールワゴンまたはツールラックに取り付けられるので、使用上の実用性が高まる。
【符号の説明】
【００２１】
１０  レール部材
１２  レールフレーム
１４  プレート
１６  摺動溝
２０  フレーム
２２  摺動凸縁
２４  摺動凹部
２６  磁石
３０、３０Ａ、３０Ｂ  固定部材
３２  摺動台
３２２  貫通穴
３２４  突部
３４、３４Ａ、３４Ｂ  保持部
３４４、３４４Ａ  保持凸部
３６  固定ブロック
３６２  ネジ穴
３８  固定ボルト
７０  ペンチ
７１  オープンエンドレンチ
７２  調整レンチ
７３  ラチェットレンチ
７４  ソケットレンチ
７５  ドライバー
【図１】
0006273319.tif 000002
【図２】
0006273319.tif 000003
【図３】
0006273319.tif 000004
【図４】
0006273319.tif 000005
【図５】
0006273319.tif 000006
【図６】
0006273319.tif 000007
【図７】
0006273319.tif 000008